(57)【要約】【課題】  筋肉痛、肩こり痛、腰痛、火傷痛、打撲痛などの痛みを緩和する鎮痛材を提供するアイデアは存在したが、支持体に突起物を粘着剤で弱く固定したものであり、接着剤を用いた鎮痛材ではなかった。従って、実用に耐えうる強度を持った鎮痛材が望まれていた。そこで、使用中も突起物が移動および脱落しない実用に十分耐えうる性能を持った貼付式鎮痛シートを提供する。【解決手段】  長方形、円形などの布製支持体の表面に多数のガラス球、プラスチックス球、金属球などの微小球を耐水性も含め強い接着力を有する接着剤で固定する。布製支持体の表面にある粘着剤ではなく、接着剤で固定することで、使用時に突起物が移動し、脱落することを防止し、期待される鎮痛効果を発揮させる。【選択図】図１
2019037843.tif 000002
【特許請求の範囲】
【請求項１】
布素材で構成された伸縮シートと、
前記伸縮シートの一方の面に、互いに離間して設けられた複数の接着位置と、
前記接着位置に塗布された接着剤と、
前記接着位置に塗布された接着剤により、前記伸縮シートに接着された複数の突起物と
を有し、
前記接着位置には、前記突起物の投影面積の１／２以上、投影面積と同じ領域以下の大きさに前記接着剤が塗布されている
鎮痛シート。
【請求項２】
前記突起物は、前記一方の面から突出する高さが４ｍｍ以下の粒状又は線状であり、
前記一方の面には、１ｃｍ２当たり９個未満の該突起物が配置されている
請求項１に記載の鎮痛シート。
【発明の詳細な説明】
【技術分野】
【０００１】
本発明は、使用中、患部の動きにより突起物が移動及び脱落しない、実用に十分耐えうる性能を持った鎮痛シートに関するものである。
【背景技術】
【０００２】
鎮痛の方法として、圧迫療法、鍼灸治療、指圧治療、神経ブロック療法、消炎鎮痛剤を含有する湿布薬を貼付する方法などが用いられている。
なお、特許文献１には、紐状乃至帯状の支持体と、前記支持体の表面に高密度で形成された無数の突起や突条からなる凹凸部と、を備えたことを特徴とする鎮痛材が開示されている。
【先行技術文献】
【特許文献】
【０００３】
【特許文献１】特開２０００−１９７６８３号公報
【発明の概要】
【発明が解決しようとする課題】
【０００４】
しかしながら、従来のような、支持体の表面に設けられた粘着剤で固定された突起物による鎮痛材では、患部の動きにより突起物が移動及び脱落しない、実用に十分耐えうる接着強度をもって、突起物を支持体の表面に接着することができなかった。
【０００５】
本発明は、上記事情を鑑みたものであり、使用される患部の動きにより突起物が移動及び脱落しない接着強度をもって、突起物を支持体の表面に接着することにより、従来の突起物を備える鎮痛材を実用可能なレベルにまで改善することを特徴とする貼付式鎮痛シートを提供することを目的とする。
【課題を解決するための手段】
【０００６】
本発明に係る鎮痛シートは、布素材で構成された伸縮シートと、前記伸縮シートの一方の面に、互いに離間して設けられた複数の接着位置と、前記接着位置に塗布された接着剤と、前記接着位置に塗布された接着剤により、前記伸縮シートに接着された複数の突起物とを有し、前記接着位置には、前記突起物の投影面積の１／２以上、投影面積と同じ領域以下の大きさに前記接着剤が塗布されている。
【０００７】
好適には、前記突起物は、前記一方の面から突出する高さが４ｍｍ以下の粒状又は線状であり、前記非粘着領域には、１ｃｍ２当たり９個未満の該突起物が配置されている。
【０００８】
好適には、前記接着位置に塗布され、少なくとも表面の一部が滑らかに形成された前記突起物と、布素材で構成された前記伸縮シートとを接着する、ウレタン樹脂を主成分とする接着剤をさらに有し、前記接着剤は、前記突起物の投影面積の１／２以上広い領域に、前記接着剤が塗布されており前記突起物は、前記接着剤により前記伸縮シートに接着されている。
【０００９】
好適には、前記伸縮シートは、第１の伸縮シートと第２の伸縮シートとを含み、前記突起物が接着された第１の伸縮シートと、前記第１の伸縮シートより広い粘着面を有する第２の伸縮シートとをさらに有し、前記第１の伸縮シートが前記第２の伸縮シートの粘着面に貼り付けられることにより、前記粘着領域が形成される。
【発明の効果】
【００１０】
本発明によれば、使用される患部の動きにより突起物が移動及び脱落しないよう支持体シートの表面に接着することにより、鎮痛効果を有効に発揮できる。
【図面の簡単な説明】
【００１１】
【図１】貼付式鎮痛シート２０を例示する斜視図である。
【図２】貼付式鎮痛シート２０の平面図を例示する図である。
【図３】図２における貼付式鎮痛シート２０の部分拡大図及び部分拡大断面図を例示する図である。
【発明を実施するための形態】
【００１２】
本実施形態に係る貼付式鎮痛シート２０の概要を説明する。
以下、本発明の実施形態の構成を、図面を参照して説明する。ただし、本発明の範囲は、図示例に限定されるものではない。また、本実施形態に係る貼付式鎮痛シート２０は、患部の大きさに応じて種々のサイズが必要であるが、構成を理解するために、どのサイズにも共通して例示している。
図１は、貼付式鎮痛シート２０を例示する斜視図である。
図１（ａ）は、剥離紙１０を剥離した状態の貼付式鎮痛シート２０を例示する斜視図であり、図１（ｂ）は、剥離紙１０を取り付けた状態の貼付式鎮痛シート２０を例示する斜視図である。
図１に例示するように、貼付式鎮痛シート２０は、伸縮シート５（支持体シート１及び貼付シート９）、接着剤２、突起物４、及び、剥離紙１０により構成されている。
【００１３】
伸縮シート５は、本発明に係る伸縮シートの一例である。
伸縮シート５は、支持体シート１及び貼付シート９を含む。
支持体シート１は、本発明に係る第１の伸縮シートの一例である。
支持体シート１は、一方の面に非粘着領域を設けられる。支持体シート１は、例えば、布製で構成され、伸縮性を備えたシート材で構成されている。具体的には、支持体シート１は、キネシオテープ又はキネシオロジーテープである伸縮生地である。支持体シート１は、後述する突起物４を支持体シート１の一方の面に配置されており、その面が非粘着領域である。また、支持体シート１は、突起物４を配置される面と裏面側を貼付シート９の粘着面９ｃに取り付けて配置される。
ここで、本実施例の貼付式鎮痛シート２０は、非粘着領域である支持体シート１と貼付シート９とを異なる部材として構成するが、貼付シート９の一部に非粘着領域を備える構成としてもよい。
【００１４】
接着剤２は、本発明に係る接着剤の一例である。
接着剤２は、支持体シート１と突起物４とを接着する接着剤である。具体的には、接着剤２は、滑らかな表面に形成された突起物４と、布素材で構成された支持体シート１とを接着する。
また、接着剤２は、非粘着領域である支持体シート１に互いに離間して設けられる複数の接着位置に塗布される。ここで、接着位置とは、互いに既定の間隔をあけて配列された、支持体シート１と突起物４とを接着する予め決められた位置である。具体的な接着位置の説明は、後述する。
接着剤２は、例えば、合成樹脂で構成され、具体的には、エポキシ系、エチレン系、アクリル系、シリコン系、ウレタン系等が含まれる。また、接着剤２は、反応系、溶液系、及び、水分散系等の分類がある。
本実施例では、接着剤２は、これらの系統のうち、より好ましいウレタン樹脂を主成分とする接着剤を具体例として説明する。接着剤２は、弾力性のある接着強度に優れたウレタン樹脂の接着剤を用いることにより、支持体シート１の伸縮性に耐える強度で、滑らかな表面に形成された突起物４を支持体シート１に接着することができる。さらに、接着剤２は、ウレタン樹脂を主成分とする接着剤のうち反応系のものを選択することにより、耐水性を得られることが期待できる。また、支持体シート１に塗布された接着剤２は、支持体シート１に比べて伸びにくいため、接着された突起物４の脱落を防止することができる。
【００１５】
突起物４は、本発明に係る突起物の一例である。
突起物４は、複数あり、接着剤２により支持体シート１に接着されている。突起物４は、支持体シート１の面から突出する高さが４ｍｍ以下の表面が滑らかである粒状、又は、線状（突条）に形成されている。具体的には、突起物４は、ビーズである。突起物４は、粒状の具体例として、例えば、略球状や略俵状が含まれる。
また、突起物４は、接着された支持体シート１の表面から突出するように接着されている。突起物４は、滑らかな表面に形成された球状で、尖っていないため、患部に損傷を与えることがなく、均一な圧迫が実現でき、製品の鎮痛効果も、コントロールが容易である。また、突起物４は、例えば皮膚の末梢神経や経穴等を圧迫することができる程度の十分な硬度を有するものが好ましい。
また、突起物４は、例えば、合成樹脂部材、ガラス部材、及び、金属部材のいずれかで構成される。突起物４は、合成樹脂部材で構成される場合、例えばセラミック粒、硬質ゴム粒であり、また、突起物４は、ガラス部材で構成される場合、例えばガラス粒である。また、突起物４は、金属部材で構成される場合、例えばアルミナ粒である。また、突起物４は、磁気機能を備えるよう構成してもよい。
また、突起物４の大きさは、突起物４が粒状に形成される場合、その直径が４ｍｍ以下の大きさで形成され、より好ましくは、直径が１．０ｍｍ〜２．０ｍｍである。また、突起物４が線状に形成される場合、突起物４の高さは、４ｍｍ以下の大きさで形成され、より好ましくは、高さが１．０ｍｍ〜２．０ｍｍである。
突起物４は、貼付式鎮痛シート２０を患部に貼り付けた場合に、粒径や高さが過大だと、末梢神経や経穴を圧迫する強度が過大になりかえって痛みが強くなる虞があり、また、粒径が過小だと、所定の鎮痛効果が得られなくなってしまう虞がある。そのため、突起物４は、鎮痛効果の得られる大きさに合わせて適宜に変更することが望ましい。
【００１６】
貼付シート９は、本発明に係る第２の伸縮シートの一例である。
貼付シート９は、シート９ａと粘着面９ｃとで構成されている。
貼付シート９は、支持体シート１より広い粘着面９ｃを有し、この粘着面９ｃに支持体シート１を貼り付けられている。また、粘着部９ｂは、貼付シート９の粘着面９ｃに支持体シート１を貼り付けられることにより形成される。
シート９ａは、例えば、布製であり、伸縮性を備えたシート材で構成されている。具体的には、貼付シート９は、キネシオテープ又はキネシオロジーテープである伸縮生地である。貼付シート９は、直方形状であり、四隅の角を丸くなるよう加工されている。
粘着部９ｂは、本発明に係る粘着領域の一例である。
粘着部９ｂは、伸縮シート５の一方の面における周縁の少なくとも一部に形成される。具体的には、粘着部９ｂは、貼付シート９の備える支持体シート１より広い粘着面９ｃの中心領域に支持体シート１を貼り付けられることにより、貼付シート９の周縁に形成される。
また、粘着部９ｂは、シート９ａと同様に伸縮性を備えている。粘着部９ｂは、粘着性を維持できる限り、貼ったり剥がしたりを繰り返し行うことができる。
また、貼付シート９は、粘着部９ｂに鎮静剤を備えるよう成分を含有し構成してもよい。
このように、本実施例の貼付式鎮痛シート２０は、シート９ａの一方の面の全体に粘着面９ｃを設けられており、この粘着面９ｃを設けられる面の中心領域に、非粘着領域を備える支持体シート１を貼り付けられている。貼付式鎮痛シート２０は、貼付シート９に支持体シート１を貼り付ける２重構造とすることにより、粘着部９ｂに比べて、突起物４を接着する領域を引張力に対してより強くすることができる。また、貼付式鎮痛シート２０は、貼付シート９に支持体シート１を貼り付ける２重構造とすることにより、粘着部９ｂに比べて伸びにくくなるため、支持体シート１の含む非粘着領域の伸縮による突起物４の脱落を防止することができる。
【００１７】
剥離紙１０は、粘着部９ｂと接触する面に剥離加工を施されており、粘着部９ｂの設けられる領域に配置されている。剥離紙１０は、粘着部９ｂに埃やごみ等が付着しないように粘着部９ｂを保護し、粘着部９ｂの粘着性能を維持できるよう配置されている。剥離紙１０は、貼付式鎮痛シート２０を貼り付ける場合に、粘着部９ｂから取り外される。
【００１８】
図２は、貼付式鎮痛シート２０の平面図を例示する図である。
図２に例示するように、貼付式鎮痛シート２０は、貼付シート９の備える粘着面９ｃの中心領域に支持体シート１を取り付けて、貼付シート９の周縁に粘着部９ｂを形成している。支持体シート１は、複数の接着位置に塗布された接着剤２により突起物４を接着されており、突起物４を接着された裏面側を貼付シート９の粘着面９ｃに取り付けている。
このとき、貼付シート９に支持体シート１を取り付ける場合、粘着部９ｂのうち対向する位置にある、貼付シート９の長辺と、支持体シート１の長辺との間隔８ａが、それぞれ同じ長さとなるよう取り付けられる。また、粘着部９ｂのうち対向する位置にある、貼付シート９の短辺と、支持体シート１の短辺との間隔８ｂが、同じ長さとなるよう取り付けられる。
また、支持体シート１に設けられる複数の接着位置は、互いに離間して配置され、例えば、正三角格子状、又は、正方格子状になるよう配列されている。本実施形態の接着位置は、正三角格子状に配列された場合を具体例として説明する。
ここで、貼付式鎮痛シート２０は、２種の大きさを具体例として例示する。具体的には、１つ目の貼付式鎮痛シート２０としては、貼付シート９の短辺が約８ｃｍ、長辺が約１２．８ｃｍであり、支持体シート１の短辺が約４．８ｃｍ、長辺が約８．５ｃｍである。また、貼付シート９の長辺と、支持体シート１の長辺との間隔８ａが約１．６ｃｍであり、貼付シート９の短辺と、支持体シート１の短辺との間隔８ｂが約２．１ｃｍである。
また、２つ目の貼付式鎮痛シート２０としては、貼付シート９の短辺が約５ｃｍ、長辺が約６．８ｃｍであり、支持体シート１の短辺が約２．８ｃｍ、長辺が約４．６ｃｍである。また、貼付シート９の長辺と、支持体シート１の長辺との間隔８ａが約１．１ｃｍであり、貼付シート９の短辺と、支持体シート１の短辺との間隔８ｂが約１．１ｃｍである。
このように、貼付式鎮痛シート２０は、患部の大きさに応じて種々のサイズを設けることができる。
【００１９】
図３は、図２における貼付式鎮痛シート２０の部分拡大図及び部分拡大断面図を例示する図である
図３（ａ）は、貼付式鎮痛シート２０のＸ部の部分拡大図を例示している。
図３（ａ）に例示するように、突起物４は、接着剤２により互いに離間する接着位置を備える支持体シート１に接着されている。突起物４は、接着位置に接着された状態で、互いに（例えば中心から中心までの距離が）５ｍｍ以下の間隔であけて接着されている。具体的には、突起物４は、互いに４．５ｍｍの間隔をあけて接着されている。また、突起物４は、支持体シート１に１ｃｍ２当たり９個未満となるよう支持体シート１に配置される。具体的には、突起物４は、支持体シート１に１ｃｍ２当たり４個以上９個未満となるよう支持体シート１に配置される。
【００２０】
図３（ｂ）は、図２に例示する貼付式鎮痛シート２０のＺ−Ｚ断面の部分拡大断面を例示する。
また、図３（ｂ）に例示するように、貼付式鎮痛シート２０は、貼付シート９のシート部９ａの粘着面９ｃに、支持体シート１を配置されている。貼付式鎮痛シート２０は、粘着面９ｃを挟むように貼付シート９に支持体シート１を配置されている。さらに、貼付式鎮痛シート２０は、支持体シート１のうち、支持体シート１と貼付シート９とが取り付けられる面とは裏面側に接着位置が設けられ、この接着位置に接着剤２が塗布され支持体シート１と突起物４を接着して構成されている。
また、突起物４は、接着剤２により支持体シート１に接着され、接着剤２が突起物４の表面に覆いかからないように接着されており、突起部４の一部のみの接着（点接着）により支持体シート１に接着している。また、突起物４は、互いに離間するよう支持体シート１に接着されている。
接着剤２は、突起物４の投影面積の１／２以上広い領域に、塗布されている。具体的には、接着剤２は、突起物４の投影面積と同じ領域、若しくは、それより小さく塗布されている。より具体的には、接着剤２は、粒状の突起物４と同様の形状に支持体シート１に塗布されており、例えば、突起物４の直径と略同じ４ｍｍ以下の大きさであり、具体的には、突起物４の直径が１．０ｍｍ〜２．０ｍｍである場合、接着剤２の塗布された直径が１．０ｍｍ〜２．０ｍｍの大きさで塗布される。また、接着剤２は、支持体シート１に塗布された厚みが１ｍｍ以下であり、好ましくは、厚みが０．０５ｍｍ〜０．５ｍｍの範囲の厚みで塗布される。
このように、貼付式鎮痛シート２０は、突起部４の一部のみの接着（点接着）とすることにより、シート全体の伸縮性をさまたげない。一方で、接着位置近傍におけるシートの伸縮性を抑制して、突起物４の脱落を防止する。
また、接着剤２は、塗布する範囲が広い場合、必要以上の接着剤２を使用することになるので、コストパフォーマンスが悪くなる。逆に、塗布する範囲が狭い場合、穴径や厚さが必要以上に小さいと、接着剤２の使用量が少なくなるが、突起物４の接着強度が弱くなったり、接着位置がずれたりして接着することが困難になる虞がある。そのため、接着剤２は、接着する突起物４の大きさに合わせて、塗布量を適宜に変更することが望ましい。
【００２１】
次に、本実施形態に係る貼付式鎮痛シート２０の製造方法を説明する。
ステップ１００（Ｓ１００）において、作業者は、支持体シート１に突起物４を接着するために、支持体シート１に接着剤２を塗布する。具体的には、作業者は、支持体シート１に対して、接着剤２を点状に塗布する。作業者は、例えば、正三角格子状に配列するよう接着剤２を点状に塗布する。
ステップ１０５（Ｓ１０５）において、作業者は、接着剤２を塗布した支持体シート１に突起物４を接着する。作業者は、接着剤２を塗布した位置に、ピンセット等にて突起物４を接着する。
ステップ１１０（Ｓ１１０）おいて、作業者は、突起物４を接着した支持体シート１を貼付シート９に取り付ける。作業者は、支持体シート１のうち突起物４を接着した面とは裏面側と貼付シート９の粘着面９ｃとを接着する。
このように、貼付式鎮痛シート２０は、製造されている。本実施例では、作業者による製造方法を具体例として説明したが、例えば、接着剤２を塗布する工程（Ｓ１００）、突起物４を接着する工程（Ｓ１０５）、及び、支持体シート１と貼付シート９と取り付ける工程（Ｓ１１０）を機械によって行ってもよい。
【００２２】
以上説明したように、本発明に係る貼付式鎮痛シート２０は、突起物４を接着する領域を非粘着領域として構成した貼付式とすることで、身体の各部分に貼り付けることができる。また、貼付式鎮痛シート２０は、突起物４を接着する領域を非粘着領域として構成することによって、突起物４が患部に接着せずに、患部の動作に合わせてずれて移動するため、付け心地の良い貼付式鎮痛シート２０を提供することができる。
また、貼付式鎮痛シート２０は、表面が滑らかに形成された突起物４と布素材で構成された伸縮性のある支持体シート１とを接着する接着剤２を、ウレタン樹脂を主成分とする接着剤とすることにより、接着剤２を支持体シート１に塗布された箇所が局所的に伸縮しにくくなるため、接着強度を維持することができる。また、貼付式鎮痛シート２０は、耐水性にも優れた接着強度のある接着剤２で突起物４を支持体シート１に接着しているため、突起部４の一部のみの接着（点接着）でも、長時間の使用中も支持体シート１に安定的に接着することができる。よって、接着剤２の使用量を少量で、品質の高い貼付式鎮痛シート２０を量産することができる。
【００２３】
また、貼付式鎮痛シート２０は、支持体シート１の表面から突起物４の突出する高さが４ｍｍ以下であれば、鎮痛効果に応じて適宜利用可能であるが、粒径が過大だと、末梢神経や経穴を圧迫する強度が過大になりかえって痛みが強くなることがあり、粒径が過小だと、所定の鎮痛効果が得られなくなってしまう。突起物４は、ガラス部材である場合、粒径１．０ｍｍ〜２．０ｍｍがコストパフォーマンスを考慮すると好適であり、鎮痛効果が期待できる。
【００２４】
また、貼付式鎮痛シート２０は、突起部４を接着した非粘着領域である支持体シート１と、貼付シート９とを重ねた２重構造とすることにより、引っ張るだけで生地が伸びてしまう貼付シート９のみの１重構造である粘着部９ｂに比べて、貼付シート９と支持体シート１とを重ねた２重構造の方が同じ引張力で引っ張っても伸びにくくすることができる。つまり、突起部４の接着位置のシート部分の過度の伸びを防ぐことにより、突起部４の脱落を防止することが期待できる。また、貼付式鎮痛シート２０は、貼付シート９とは別に、非粘着領域を含む支持体シート１を構成することにより、生産工程に柔軟性をもたせることができるため、多品種生産に対応することができる。
また、貼付式鎮痛シート２０は、支持体シート１と、貼付シート９とを重ねた２重構造とする、いわゆる多重構造とすることにより、シート間に薬剤を保持することができる。
以上、本発明に係る実施形態について説明したが、これらに限定されるものではなく、発明の趣旨を逸脱しない範囲内において、種々の変更、追加等が可能である。
【００２５】
［変形例］
上記実施形態では、突起物４の接着された領域を非粘着領域として説明したが、本変形例では、非粘着領域を低粘着領域に置き換えてもよい。
低粘着領域とは、粘着性があってもよい領域である。具体的には、低粘着領域は、粘着性がなくてもよいし、貼付シート９の周縁にある粘着部９ｂより粘着性が低く構成されてもよい。
【符号の説明】
【００２６】
２０      貼付式鎮痛シート
５        伸縮シート
１        支持体シート
２        接着剤
４        突起物
９        貼付シート
９ａ      シート
９ｂ      粘着部
９ｃ      粘着面
１０      剥離紙
【図１】
2019037843.tif 000003
【図２】
2019037843.tif 000004
【図３】
2019037843.tif 000005